(57)【要約】【課題】傷口を極力小さくすることにより痛みを抑えることができ、しかも、必要最小限の極めて少量の血液等の体液を採取可能な採液針およびこの採液針を用いた採液装置を提供する。【解決手段】外径が２００μｍ以下の生体内に挿入される小径部２と、小径部２に連続して形成され外径が小径部２より大きい大径部３とからなり、小径部２および大径部３の内部に連通した連通孔４を有する採液針１であって、この採液針１には連通孔４内に血液等の体液を吸引する吸引手段が連結される連結部５を有している。【選択図】　図１
2004073298.tif 000002
【特許請求の範囲】
【請求項１】
外径が２００μｍ以下の生体内に挿入される小径部と、この小径部に連続して形成され外径が前記小径部より大きい大径部とからなり、前記小径部および前記大径部の内部に連通した連通孔を有する採液針であって、この採液針には前記連通孔内に血液等の体液を吸引する吸引手段が連結される連結部を有することを特徴とする採液針。
【請求項２】
請求項１において、前記連通孔の内径を、前記小径部は小径に形成すると共に、前記大径部は大径に形成し、この大径部の連通孔内に吸引した血液等の体液を検査するための検査手段を配設したことを特徴とする採液針。
【請求項３】
請求項２において、前記大径部の外壁には、前記検査手段の出力を得る測定用電極を有することを特徴とする採液針。
【請求項４】
外径が２００μｍ以下の生体内に穿刺される小径部、この小径部に連続して外径が前記小径部より大きい大径部、および、前記小径部および前記大径部の内部に連通した連通孔を有する採液針と、前記連通孔内に血液を吸引する吸引手段とを有することを特徴とする採液装置。
【請求項５】
請求項４において、前記大径部の連通孔内に血液等の体液を検査するための検査手段を配設し、この検査手段に血液等の体液が浸液したときの信号により、前記吸引手段を停止すると共に前記小径部を引き抜くための制御手段を設けたことを特徴とする採液装置。
【請求項６】
外径が２００μｍの生体内に挿入される小径部、この小径部に連続して外径が前記小径部より大きい大径部、および、前記小径部および前記大径部の内部に連通した連通孔を有し、この連通孔内に血液等の体液を吸引する吸引手段が連結される連結部を有する採液針と、この採液針を収納する収納部材と、この収納部材に形成されたガイド部に沿って前記採液針を進出させる進出手段とを有することを特徴とする採液装置。
【請求項７】
請求項６において、前記連通孔は、その内径が、前記小径部を小径に形成し、前記大径部を大径に形成し、前記大径部の連通孔内には、採液した血液等の体液を検査するための検査手段を有し、この検査手段の出力を得る測定用電極を前記大径部の外壁に設けるとともに、前記測定用電極に当接して外部に出力する外部電極を前記収納部材に設け、前記突出手段によって前記採液針が進出した進出位置で前記測定用電極と、前記外部電極とが当接することを特徴とする採液装置。
【請求項８】
請求項７において、前記ガイド部に前記大径部の外壁が当接してこのガイド部に沿って前記採液針を進出させるとともに、このガイド部に前記外部用電極を形成したことを特徴とする採液装置。
【発明の詳細な説明】
【０００１】
【発明の属する技術分野】
本発明は、生体内から血液や体液を採取する採液装置に関し、より詳しくは、採液針およびこの採液針により体液を採取するための採液装置に関する。
【０００２】
【従来の技術】
従来、血糖値測定などの血液検査のために血液を採取する用具として、ランセットが用いられている。ランセットによる採血は先端に設けられた刃先によって指先等の皮膚に傷を付け、傷口からにじみ出た血液を採取している。このランセットの他、一般的には、血液等の体液を採取する用具として外径が１ｍｍ程度の医療用の穿刺針が用いられている。
【０００３】
【発明が解決しようとする課題】
ランセットの場合は、傷口からにじみ出させた血液を採取するという特性上、傷口が大きくなるため、相当な痛みを伴うという問題点がある。しかも、傷口が大きくなるため、傷口が治癒するまでに化膿してしまうという問題点もある。
【０００４】
また、一般的な医療用の穿刺針を使用して採血する場合は、穿刺針の外径が１ｍｍ程度と太いことから穿刺の際に激しい穿刺痛を伴う。さらに、太い採血針を皮膚の奥まで穿刺するので止血するまでの出血量が多いという問題点がある。
【０００５】
以上の問題点に鑑みて、本発明の課題は、傷口を極力小さくすることにより痛みを抑えることができ、しかも、必要最小限の極めて少量の血液等の体液を採取可能な採液針およびこの採液針を用いた採液装置を提供することにある。
【０００６】
【課題を解決するための手段】
上記課題を解決するため、本発明の請求項１に記載の採血針は、外径が２００μｍ以下の生体内に挿入される小径部と、この小径部に連続して形成され外径が前記小径部より大きい大径部とからなり、前記小径部および前記大径部の内部に連通した連通孔を有する採液針であって、この採液針には前記連通孔内に血液等の体液を吸引する吸引手段が連結される連結部を有することを特徴としている。
【０００７】
かかる請求項１に記載の発明によれば、採液針の皮膚内に穿刺される小径部の外径を極細に形成したので、穿刺痛を大幅に抑えることができる。また、連通孔内に血液等の体液を吸引する吸引手段が連結される連結部を備えているので、この連結部に吸引手段を連結することにより、血液等の体液の表面張力や粘度に抗して強制的に体液を採液することが可能となり、しかも、採液に要する時間を短縮できる。さらに、大径部を利用することで採液針の取り扱いを容易にすることができる。
【０００８】
また、本発明の請求項２に記載の発明は、前記連通孔の内径を、前記小径部は小径に形成すると共に、前記大径部は大径に形成し、この大径部の連通孔内に吸引した血液等の体液を検査するための検査手段を配設したことを特徴としている。
【０００９】
かかる請求項２に記載の発明によれば、大径部の連通孔内に採取した血液等の体液を検査するための検査手段を配設したので、採液針自体による血液等の体液の検査ができる。従って、採取した血液等の体液を別の検査手段に移し替えることなく検査を行うことができ、検査作業の簡略化が図れると共に検査時間を短縮することができる。また、採取した体液の移し替え作業を不要にできるので、必要最小限の体液により検査することが可能となる。さらに、体液の移し替え作業時に外気中の病原菌や気体等との接触を未然に防止することができ、正確な検査を行うことができる。
【００１０】
また、本発明の請求項３に記載の発明は、前記大径部の外壁には、前記検査手段の出力を得る測定用電極を有することを特徴としている。
【００１１】
かかる請求項３に記載の発明によれば、大径部の外壁に検査手段の出力を得るための測定用電極を有しているので、検査手段の検査出力を容易に取り出すことができる。従って、採液針内で検査することができ、正確な結果を得ることができる。
【００１２】
また、本発明の請求項４に記載の発明は、外径が２００μｍ以下の生体内に穿刺される小径部、この小径部に連続して外径が前記小径部より大きい大径部、および、前記小径部および前記大径部の内部に連通した連通孔を有する採液針と、前記連通孔内に血液を吸引する吸引手段とを有することを特徴としている。
【００１３】
かかる請求項４に記載の発明によれば、採血方法として周知のランセット方法と比較して極めて少量の血液を採取可能な採血装置を実現できる。また、連通孔内に血液等の体液を吸引する吸引手段を連結したことにより、小径部の外径を極細に形成しても、体液の表面張力や粘度に抗して強制的に採液することが可能となり、しかも、採液に要する時間を短縮できる。
【００１４】
また、本発明の請求項５に記載の発明は、前記大径部の連通孔内に血液等の体液を検査するための検査手段を配設し、この検査手段に血液等の体液が浸液したときの信号により、前記吸引手段を停止すると共に前記小径部を引き抜くための制御手段を設けたことを特徴としている。
【００１５】
かかる請求項５に記載の発明によれば、検査手段に体液が浸液したときに吸引手段を停止するので、必要最小限の体液を採取することができる。また、採液量が少ないことから、採液時間を短縮することができる。
【００１６】
また、本発明の請求項６に記載の発明は、外径が２００μｍの生体内に挿入される小径部、この小径部に連続して外径が前記小径部より大きい大径部、および、前記小径部および前記大径部の内部に連通した連通孔を有し、この連通孔内に血液等の体液を吸引する吸引手段が連結される連結部を有する採液針と、この採液針を収納する収納部材と、この収納部材に形成されたガイド部に沿って前記採液針を進出させる進出手段とを有することを特徴としている。
【００１７】
かかる請求項６に記載の発明によれば、採液針を収納する収納部材に形成されたガイド部に沿って採液針を進出手段によって進出させるので、採液針の曲がりや折れを無くし、極細の採液針を皮膚内へ穿刺する穿刺作業を確実に行うことができる。
【００１８】
また、本発明の請求項７に記載の発明は、前記連通孔は、その内径が、前記小径部を小径に形成し、前記大径部を大径に形成し、前記大径部の連通孔内には、採液した血液等の体液を検査するための検査手段を有し、この検査手段の出力を得る測定用電極を前記大径部の外壁に設けるとともに、前記測定用電極に当接して外部に出力する外部電極を前記収納部材に設け、前記突出手段によって前記採液針が進出した進出位置で前記測定用電極と、前記外部電極とが当接することを特徴としている。
【００１９】
かかる請求項７に記載の発明によれば、検査手段の出力を得る測定用電極を大径部の外壁に設けるとともに、測定用電極に当接して外部に出力する外部電極を収納部材に設け、突出手段によって採液針が進出した進出位置で前記測定用電極と外部電極とを当接させるので、採液針が進出した位置を容易に確認することができ、その結果、穿刺の過不足が無くなるので、皮膚内へ採液針の穿刺する深さが安定し、穿刺作業を確実に行える。その上、それぞれの電極部は、採液針が進出した位置で当接位置と測定用電極と外部電極とが当接するだけの面積で済むため、電極部の面積を小さくすることができる。
【００２０】
また、本発明の請求項８に記載の発明は、前記ガイド部に前記大径部の外壁が当接してこのガイド部に沿って前記採液針を進出させるとともに、このガイド部に前記外部用電極を形成したことを特徴としている。
【００２１】
かかる請求項８に記載の発明によれば、ガイド部に沿って採液針の大径部を進出させるので、採液針を正確に進出させることができる。また、このガイド部に前記外部用電極を形成しているので、電極の位置を安定させることができる。
【００２２】
【発明の実施の形態】
以下、本発明の実施の形態を図面に基づいて詳細に説明する。
【００２３】
（実施の形態１）
図１は、本発明の実施の形態１に係わる採液針の断面図を示す。この図１において、本形態の採液針１は、被検体としての生体内に穿刺して血液或いは体液等を採取するものであり、生体に対して悪影響の無い材料から形成されている。
【００２４】
採液針１は、先端が鋭角に形成されており、この先端から皮膚内に穿刺する小径部２と、この小径部２に連続して形成された小径部２よりも大径の大径部３とから構成される。
【００２５】
特に、小径部２の外径寸法Ａは、２００μｍ以下、好ましくは蚊の吸い口と同程度の略８０μｍ〜１００μｍの極細に形成される。従って、蚊に刺されたとき通常人が穿刺痛を感じることがないように、上記採液針１を用いて採液を行う際にはほとんど穿刺痛を感じることはない。また、小径部２の長手方向の寸法は生体内に穿刺する５ｍｍ乃至３０ｍｍ程度に形成されている。
【００２６】
また、採液針１の内部には、小径部２から大径部３に連通した連通孔４が形成されている。この連通孔４は、小径部２の内径が小径に形成され、大径部３の内径が大径に形成されている。従って、採液針１の肉厚は、小径部２から大径部３にかけてほぼ同じ厚さに形成している。このため、大径部３の容積が大きいことから、吸引した血液等の体液の容積を確保でき、さらに、採液針１の寸法を短縮することが可能となる。
【００２７】
この大径部３の端部には、吸引手段として、図示しないポンプに接続されたホース６を連結するための連結部５が形成されている。この連結部５は、大径部３の端部を若干絞ることによりやや小径に形成してホース６が連結し易いように構成されている。また、連結作業にあたり、大径部３と連結部５との位置が近接していることから、大径部３をつまんでホース６に連結することによって採液針１の破損を防止することができる。
【００２８】
このように、採液針１は、皮膚内に穿刺する小径部２の外径寸法Ａを１００μｍ程度の極細に形成したことにより、皮膚の傷口を極力小さくできる。しかし、小径部２における連通孔４の内径が小さいことから、例えば血液を採取する場合には、血圧の作用よりも血液の粘度、表面張力が上回っているため、採液針１を皮膚内に穿刺しただけでは、連通孔４内に血液を吸入することは困難である。従って、本形態では、採液時に採液針１の大径部３の端部に設けた連結部５に吸引手段としてのポンプを連結し、連結部５に連結されたホース６を介して連通孔４内の空気を排出して、強制的に血液を吸引させるように構成している。
【００２９】
また、採液針１の大径部３の連通孔内には検出手段７を配設している。本形態において、検出手段７として血漿中の血糖値を検査するための検査具を例示している。この検査具は、血液に反応する試薬を含侵させた濾紙１１と、この濾紙１１の中央部に配設した測定用電極８と、この測定用電極８の周囲に離間させて配設したＵ字型の導電体１０によって構成されている。さらに、測定用電極８には引き出し線１１ａの一端が接続され、他端は大径部３の外壁に形成された測定用電極９に接続されている。また、導電体１０には引き出し線１０ａの一端が接続され、他端は大径部３の外壁に形成された測定用電極９に接続されている。
【００３０】
このような構成からなる検出手段７は、血液中の血糖値を検査するためのものであり、その検出原理については既知であるため詳細な説明は省略するが、概略以下の通りになっている。
【００３１】
血液が連通孔４内に吸引され、濾紙１１にしみ込むと、血液中のグルコースと試薬としてのグルコースオキシダーゼとが特異的に反応し、フェリシアン化カリウムが還元されてフェロシアン化カリウムを生成する。
【００３２】
ここで生成したフェロシアン化カリウムの量はグルコース濃度に比例し、電気化学的に酸化することによって電流が生じる。この電流量を、濾紙１１と導電体１０とから引き出されたそれぞれの測定用電極８、９を用いて測定し、グルコース濃度に換算することによって血糖値が求められる。
【００３３】
このように、採液針１の大径部に、その連通孔内に採取した血液等の体液を検査するための検査手段７を有しているので、採液針１によって採液した体液の検査の機能を果たすことが可能である。従って、採液と検査とを別々に行う検査方法に比べて採液及び検査作業の簡略化が図れ、作業に要する時間を大幅に短縮できる。また、採取した血液をすべて検査のために用いることができるので最小限の体液量で済み、本形態の極細の採液針１を用いたときにも吸引時間の増加を招くことはない。
【００３４】
（実施の形態１の変更例）
図２は、実施の形態１の構成を一部変え、連結部５’の先端にテーパを付けて鋭角にした採液針１’の断面図を示す。尚、例えば、連通孔内に内設される検出手段７等については、前述した実施の形態１と同様であるため、その詳細な説明を省略する。
【００３５】
連結部５’には、前述したポンプに代え、吸引手段としての真空採液管６’が連結される。連結部５’の先端は鋭角に形成されているため、この連結部５’を真空採液管６’内に容易に挿入することができる。この真空採液管６’は、内部が真空になった管であり、連結部５’を真空採液管６’に直接挿入することにより、管の略体積分だけの空気が連通孔内から排出でき、被検体の血液等の体液を一定量吸引可能である。従って、真空採液管６’を用いた採液方法によれば、採液の際に採液量を確認する必要がない。
【００３６】
この採液針１’は、連結部５’にポンプのホース６を連結することもできるため、ポンプ、真空採液管６’の兼用タイプとして用いることが可能である。ただし、実施の形態１の採液針１に、真空採液管６’を組合せて用いても何ら支承がない。
【００３７】
（実施の形態２）
図３（ａ）は、採液装置１２の構成図を示し、実施の形態１の採液針１を用いている。
【００３８】
採液装置１２は、採液針１を内部に収納する収納部材１３と、この収納部材１３内に採液針１が完全に収納された原位置（実線）から採液針１を進出位置（波線）まで進出させるための進出手段としてのソレノイド機構１４とから構成されている。
【００３９】
このソレノイド機構１４は、円筒状に巻線が巻回されたコイル１５と、このコイル１５の通電に伴ってコイル１５の円筒内を移動するとともに、中央の中空部に採液針１が収納された磁性体ケース１６とから構成されている。この磁性体ケース１６は磁性材料からなり、その中空部に収納された採液針１は、大径部３の端部が、この磁性体ケース１６の係合部１７に当接して、位置決め状態で収納されている。
【００４０】
また、磁性体ケース１６は、コイル１５に通電がなされないときには、一端が磁性体ケース１６に係止され、他端が収納部材１３に係止されたコイルスプリング１８によって、採液針１を原位置に保持している。
【００４１】
一方、コイル１５に通電することにより、磁性体ケース１６がコイルスプリング１８の付勢力に抗してコイル１５の円筒内を励磁磁界の中心に向かって移動する。このとき、磁性体ケース１６は、その外壁が収納部材１３の内壁に設けられた図示しないガイド部にガイドされて移動する。その結果、磁性体ケース１６の移動に伴って、採液針１が、波線の進出位置に進出される。なお、コイル１５への通電は外部の制御部１９を通じてなされる。
【００４２】
以上の構成からなる採液装置１２を用いて採液することにより、外径が１００μｍ程度の極細の採液針１であっても、採液針１の曲がり、折れといったリスクが減少し、確実で信頼性の高い採液作業が可能となる。
【００４３】
図３（ｂ）は、磁性体ケース１６の斜視図であり、この磁性体ケース１６には採液針１を挿入する挿入部に開口した２つのスリット２２、２３を有し、このスリット２２、２３の位置と採液針１の測定用電極８、９の位置とが周方向に一致するように形成されている。
【００４４】
従って、測定用電極８、９とスリット２２、２３とを一致させ、採液針１を磁性体ケース１６に挿入すると、このスリット２２、２３から測定用電極８、９が露出する。
【００４５】
一方、外部電極２０，２１は、収納ケースの内壁から磁性体ケース１６の厚さだけ突出しているが、外部電極２０，２１も磁性体ケース１６のスリット２２、２３の位置と周方向に一致するように形成されており、磁性体ケース１６が収納ケースのガイド部にガイドされ、外部電極２０，２１が磁性体ケース１６のスリット２２、２３内を移動する。このため外部電極２０，２１は、磁性体ケース１６と干渉することはない。
【００４６】
このように形成することで、採液針１が進出位置まで進出すると、採液針１に形成された測定用電極８、９と磁性体ケース１６に形成された外部電極２０、２１とがそれぞれ当接するため、検出手段７により検出した電流量を制御部１９まで出力可能となる。
【００４７】
従って、採液針１の進出位置でのみ測定用電極８、９と外部電極２０、２１とがそれぞれ当接するので、電極部の面積を小さくすることができる。また、測定用電極８、９と外部電極２０、２１とが接触したとき、電気的手段を用いて信号を出力するように構成すれば、採液針１の進出位置の確認が容易となり、皮膚内の一定深さにおける採液を確実に行うことが可能となる。また、ポンプ２４による吸引のタイミングを得る信号としても利用することができる。
【００４８】
再び、図３（ａ）において、採液針１の係合部５にはホース６が連結され、ポンプ２４によって外部から吸引可能に構成されている。このポンプ２４の動作については特に限定されるものではないが、例えば採液針１が、進出した位置の信号を検出し、制御部１９によって動作を開始させるようにすることが好ましい。このようにして動作を開始し、検査手段７からの電流量が確認され次第速やかに動作を停止するように構成すれば、一定深さでのピンポイントの採液が可能になる。
【００４９】
また、制御部１９の情報のうち必要に応じて表示する表示部２４を設けておくことが好ましい。このように表示部を設けることにより、前述した検査手段７による血糖値の表示はもとより、採液針１が進出され採液開始の表示、退出して採取終了の表示等行うことにより、一連の採液作業をスムーズに進めることが可能になる。
【００５０】
さらに、本形態では、ソレノイド機構１４の被駆動部材を磁性体ケース１６とし、採液針１を収納する機能を持たせたため、部品点数の削減を図れる構成であるが、これに限定されるものではなく、磁性体ケース１６の後方にソレノイド機構を配設し、このケースを被駆動部材によって押圧して、採液針１を進出するように構成しても良い。このとき、磁性体ケース１６は磁性材料で形成する必要ははい。
【００５１】
また、進出手段は、特にソレノイド機構１４に限定されるものではなく、磁性体ケース１６の外壁にラックを設け、このラックにモータのピニオンを噛合させた、いわゆるラック＆ピニオン方式によって、磁性体ケース１６を進退可能に構成しても良い。このときにも、磁性体ケース１６を磁性材料で形成する必要はない。
【００５２】
さらにまた、ソレノイド機構１４に代えて、コイルスプリング１８を圧縮コイルバネとし、採液針１が原位置にあるとき、この圧縮コイルバネを、磁性体ケース１６と収納部材１３とにより圧縮した状態でロックさせておき、採液時にこのロックを解除することにより、磁性体ケース１６を押圧して、採液針１を進出するように構成しても良い。このときにも、磁性体ケース１６を磁性材料で形成する必要はない。
【００５３】
【発明の効果】
以上の説明で明らかなように、本発明に係わる採液針によれば、採液針の皮膚内に挿入される小径部の外径が２００μｍ以下の極細なので、皮膚に付く傷口を極力小さくすることにより痛みを抑えることができる。また、外径に伴って、当然、連通孔の内径も小径に制限されることになるが、採液針には、連通孔内に血液等の体液を吸引する吸引手段が連結される連結部を備えているので、この連結部に吸引手段を連結すれば、強制的に採液可能となり、血液等の体液のつまりや採液に要する時間を短縮できる。
【００５４】
また、本発明に係わる採液装置によれば、ランセットによる採液方法より極めて少量の血液を採取可能な採液装置を実現できる。
【００５５】
さらにまた、本発明に係わる採液装置によれば、採液針の曲がり、折れを無くし、極細の採液針を皮膚内へ挿入する挿入作業を確実に行うことができる。
【図面の簡単な説明】
【図１】本発明による採液針の実施の形態１を示す断面図である。
【図２】本発明による採液針の実施の形態２を示す断面図である。
【図３】（ａ）は、本発明による採液針の実施の形態１を用いた採液装置を示す構成図、（ｂ）は、磁性体ケースの斜視図である。
【符号の説明】
１　採液針
２　小径部
３　大径部
４　連通孔
５　連結部
７　検査手段
８、９　測定用電極
１１　試薬
１２　採液装置
１３　収納部材
１４　ソレノイド機構
１５　コイル
１６　磁性体ケース
２０、２１　外部電極
【図１】
2004073298.tif 000003
【図２】
2004073298.tif 000004
【図３】
2004073298.tif 000005